(57)【要約】【課題】接合樹脂とシンクの接合部における溝の発生を高度に抑制可能な台所部材および台所部材の製造用治具を提供することである。【解決手段】キッチンカウンタ１は、カウンタ２と、シンク３を有し、シンク３は縁部１０を有し、カウンタ２とシンク３は水平方向に隙間３３を設けた状態で位置し、カウンタ２はシンク３よりも鉛直方向において上側に位置しており、隙間３３には接合樹脂４が充填され、接合樹脂４は縁部１０の天面１１の一部又は全部を覆っている。製造用治具は、カウンタ２及びシンク３を載置可能な台を有し、吸引によるカウンタ２の固定が可能な吸引手段を有し、押圧によるシンク３の固定が可能な押圧手段を有し、台は、台上に載置されたカウンタ２とシンク３の縁部１０との隙間３３を覆うパッキンを有し、パッキンは、中央部から端部に向かって厚みが小さくなるテーパ状を成している。【選択図】図１
2011200388.tif 000002
【特許請求の範囲】
【請求項１】
天板と、シンクを有し、シンクは縁部を有し、天板とシンクは水平方向に隙間を設けた状態で位置し、天板はシンクよりも鉛直方向において上側に位置しており、前記隙間には接合樹脂が充填され、前記接合樹脂は前記縁部の上面の一部又は全部を覆っていることを特徴とする台所部材。
【請求項２】
請求項１に記載の台所部材を製造するための治具であって、天板及びシンクを載置可能な台を有し、吸引による天板の固定が可能な吸引手段を有し、押圧によるシンクの固定が可能な押圧手段を有し、前記台は、台上に載置された天板とシンクの縁部との隙間を覆うパッキンを有し、前記パッキンは、中央部から端部に向かって厚みが小さくなるテーパ状を成していることを特徴とする台所部材の製造用治具。
【発明の詳細な説明】
【技術分野】
【０００１】
本発明は、台所部材および台所部材の製造用治具に関し、さらに詳細には、接合樹脂とシンクの接合部における溝の発生を高度に抑制可能な台所部材および台所部材の製造用治具に関する。
【背景技術】
【０００２】
人造大理石を用いたキッチンカウンタ（台所部材）が、多くの消費者に利用されている。特許文献１には、カウンタ（天板）にシンクが接合されたキッチンカウンタが開示されている。
【先行技術文献】
【特許文献】
【０００３】
【特許文献１】特開２００８−１５６９３９号公報
【発明の概要】
【発明が解決しようとする課題】
【０００４】
特許文献１に記載のキッチンカウンタ８０（台所部材）は、図３（ａ）に示すように、カウンタ８１（天板）とシンク８２を有している。
【０００５】
図３（ｂ）に示すように、カウンタ８１にはシンク８２が嵌め合わされている。カウンタ８１とシンク８２は、接合樹脂８３を介して接合されている。
【０００６】
図３（ｃ）に示すように、カウンタ８１の上面とシンク８２の上面とは、いわゆる面一となるように位置している。カウンタ８１とシンク８２の隙間３３には、接合樹脂８３が充填されている。接合樹脂８３の下側には、接合樹脂８４が充填されている。このことにより、キッチンカウンタ８０は清掃が容易であって、意匠性に優れている。
【０００７】
ところが、特許文献１に記載のキッチンカウンタ８０は、接合樹脂８３とシンク８２とが側面でのみ接合されているだけである。例えば、何らかの要因で接合樹脂８３に傷が付くことにより、接合樹脂８３とシンク８２の接合部３７に溝が発生する恐れがある。溝の劣化が進むと、接合部３７にゴミ等が詰まって取れ難くなる。よって、キッチンカウンタ８０の衛生状態の悪化が懸念される。
【０００８】
そこで、本発明は、接合樹脂とシンクの接合部における溝の発生を高度に抑制可能な台所部材および台所部材の製造用治具の提供を目的とする。
【課題を解決するための手段】
【０００９】
上記課題を解決するための請求項１に記載の発明は、天板と、シンクを有し、シンクは縁部を有し、天板とシンクは水平方向に隙間を設けた状態で位置し、天板はシンクよりも鉛直方向において上側に位置しており、前記隙間には接合樹脂が充填され、前記接合樹脂は前記縁部の上面の一部又は全部を覆っていることを特徴とする台所部材である。
【００１０】
本発明の台所部材は、天板と、シンクを有し、シンクは縁部を有するものであり、天板とシンクは水平方向に隙間を設けた状態で位置し、天板はシンクよりも鉛直方向において上側に位置しているものである。また、本発明の台所部材は、前記隙間には接合樹脂が充填され、前記接合樹脂は前記縁部の上面の一部又は全部を覆っているものである。
【００１１】
すなわち、シンクの縁部の上面の一部又は全部が接合樹脂で覆われている。このことにより、シンクの縁部と接合樹脂との接合部は、シンクの縁部の上面に位置する。例えば、何らかの要因で接合樹脂に傷が付いた場合にでも、接合樹脂とシンクとの接合部に溝等が生じる可能性は極めて低い。
【００１２】
また、接合樹脂は、シンクよりも鉛直方向で上側に位置する天板につながっている。このことにより、天板上に水等がこぼれた場合にでも、速やかに水等をシンクに誘導することが可能である。
【００１３】
本発明の台所部材によれば、接合樹脂とシンクの接合部における溝の発生を高度に抑制可能である。
【００１４】
請求項２に記載の発明は、請求項１に記載の台所部材を製造するための治具であって、天板及びシンクを載置可能な台を有し、吸引による天板の固定が可能な吸引手段を有し、押圧によるシンクの固定が可能な押圧手段を有し、前記台は、台上に載置された天板とシンクの縁部との隙間を覆うパッキンを有し、前記パッキンは、中央部から端部に向かって厚みが小さくなるテーパ状を成していることを特徴とする台所部材の製造用治具である。
【００１５】
本発明の台所部材の製造用治具は、請求項１に記載の台所部材を製造するための治具であって、天板及びシンクを載置可能な台を有し、吸引による天板の固定が可能な吸引手段を有するものであり、押圧によるシンクの固定が可能な押圧手段を有するものである。また、本発明の台所部材の製造用治具は、前記台は、台上に載置された天板とシンクの縁部との隙間を覆うパッキンを有し、前記パッキンは、中央部から端部に向かって厚みが小さくなるテーパ状を成しているものである。
【００１６】
テーパ状を成すパッキンを用いることにより、台所部材の完成品の状態において、天板をシンクよりも鉛直方向で上側に位置させることが容易である。また、テーパ状を成すパッキンを用いることにより、シンクの縁部の上に、接合樹脂を充填する空間を確実に確保することができる。
【００１７】
また、真空ポンプで吸引された天板は、位置ズレが生じ難い。さらに、クランプで押圧されたシンクも強固に固定することが可能である。すなわち、天板およびシンクを強固に固定することができる。よって、シンクの縁部の上面の一部又は全部を覆う形で、天板とシンクを接合樹脂で接合することが可能である。本発明の台所部材の製造用治具によれば、接合樹脂とシンクの接合部における溝の発生を高度に抑制可能な台所部材を、容易に製造することができる。
【発明の効果】
【００１８】
本発明の台所部材によれば、接合樹脂とシンクの接合部における溝の発生を高度に抑制可能である。
【００１９】
また、本発明の台所部材の製造用治具によれば、接合樹脂とシンクの接合部における溝の発生を高度に抑制可能な台所部材を、容易に製造することができる。
【図面の簡単な説明】
【００２０】
【図１】本発明の実施形態に係る台所部材を示す図であり、接合樹脂とシンクの接合部を示す断面図である。
【図２】図１の台所部材の製造用治具の一部を示す断面図である。
【図３】従来の台所部材を示す図であり、（ａ）は分解斜視図であり、（ｂ）は斜視図であり、（ｃ）は接合樹脂とシンクの接合部を示す断面図である。
【発明を実施するための形態】
【００２１】
以下では、本発明の台所部材および台所部材の製造用治具の実施形態について、図面を参照しながら詳細に説明する。なお、以下の説明は、実施形態の理解を容易にするためのものであり、これによって、本発明が制限して理解されるべきではない。
【００２２】
図１において、上下方向を鉛直方向（垂直方向）とし、左右方向を水平方向とする。
【００２３】
図１に示すように、キッチンカウンタ１（台所部材）は、カウンタ２（天板）とシンク３を有している。
【００２４】
シンク３は、縁部１０を有している。縁部１０は強度を増すために、断面視でコ字状となるように折り曲げられていることが好ましい。
【００２５】
カウンタ２の天面８（上面）は、シンク３の天面１１（上面）よりも上側に位置している。すなわち、カウンタ２の天面８と、シンク３の天面１１とは、鉛直方向で高さＨの差を有している。
【００２６】
また、カウンタ２とシンク３は、水平方向に隙間３３を設けた状態で位置している。
【００２７】
隙間３３には接合樹脂４が充填されており、カウンタ２とシンク３は、接合樹脂４を介して接合されている。なお、接合樹脂４の下側には、接合樹脂５が充填されている。
【００２８】
接合樹脂４は、カウンタ２の天面８の端部に接し、シンク３の縁部１０の天面１１の略半分（天面１１の一部）を覆っている。つまり、シンク３と接合樹脂４との接合部３７は、左右方向における天面１１の略半分の位置である。例えば、天面１１の略半分を覆っている接合樹脂４が、何らかの要因で傷が付いた場合にでも、接合部３７に溝等が生じる可能性は極めて低い。
【００２９】
また、接合樹脂４は、カウンタ２の天面８の端部につながっている。つまり、カウンタ２の天面８よりも、下方にシンク３の天面１１が位置している。よって、接合樹脂４は、カウンタ２の天面８の端部からシンク３の天面１１に向かって、勾配を有している。例えば、カウンタ２の天面８上に水がこぼれた場合にでも、速やかに水をシンク３に誘導することが可能である。
【００３０】
続いて、治具２０（台所部材の製造用治具）について説明する。
【００３１】
図２に示すように、治具２０は、台２１と、パッキン２２と、クランプ２３（押圧手段）と、真空ポンプ２４（吸引手段）を有している。
【００３２】
台２１は、カウンタ２（天板）及びシンク３を載置可能な大きさを有している。図２に示すように、キッチンカウンタ１の製造時には、カウンタ２とシンク３は天地逆に台２１に載置される。台２１は、カウンタ２とシンク３の縁部１０との隙間３３を覆うパッキン２２を有している。換言すれば、パッキン２２は、台２１において、カウンタ２とシンク３の縁部１０との隙間３３を覆う位置に設けられている。
【００３３】
また、カウンタ２の大部分が載置される箇所には、吸着パッキン２８と吸引孔２９を有している。
【００３４】
パッキン２２は、カウンタ２とシンク３との位置関係を決めるための部材である。また、パッキン２２は、カウンタ２とシンク３に密着し、接合樹脂４を充填する空間３５を確保するための部材である。
【００３５】
図２に示すように、パッキン２２は、中央部から端部に向かって厚みが小さくなるテーパ状を成している。パッキン２２は、断面形状が台形である。
【００３６】
キッチンカウンタ１の製造時において、パッキン２２は、シンク３がカウンタ２よりも上側に位置するように傾斜している。つまり、キッチンカウンタ１は、完成した際には天地逆となり、カウンタ２はシンク３よりも鉛直方向で上側に位置することとなる。また、パッキン２２は、テーパ状を成していることにより、シンク３の縁部１０の上に、接合樹脂４を充填する空間３５を確実に確保することができる。
【００３７】
クランプ２３は、シンク３を押圧し、台２１に固定するための押圧手段である。図２に示すように、クランプ２３は、台２１の外側に位置している。
【００３８】
クランプ２３は、鉛直方向に本体部４０を有している。本体部４０の上部には、ハンドルレバー４５を有している。本体部４０から水平方向に腕部４１が延びている。腕部４１の先端近傍から鉛直方向で下側に向かって押さえ棒４２を有し、押さえ棒４２と腕部４１との間にはバネ４３を有している。押さえ棒４２の先端には、スペーサー４４が設けられている。
【００３９】
クランプ２３は、公知のクランプ機構であり、ハンドルレバー４５を下側に降ろすと、押さえ棒４２が降下してシンク３を押圧する。クランプ２３は、シンク３を複数箇所で固定するため、複数個設けられている。
【００４０】
スペーサー４４は、シンク３を押圧するためのものであって、シンク３とカウンタ２との間隔を一定に保持するためのものである。スペーサー４４は、コ字状を成しており、先端部には、押圧片４６と間隔保持片４７を有している。押圧片４６は、シンク３を押圧し、シンク３を台２１に固定可能である。間隔保持片４７は、シンク３とカウンタ２との間に挟むことにより、水平方向において、シンク３とカウンタ２との間隔を一定に保持可能である。
【００４１】
真空ポンプ２４は、カウンタ２を吸引し、台２１に固定するための吸引手段である。図２に示すように、真空ポンプ２４は、吸引孔２９の下側であって台２１の外側に位置している。真空ポンプ２４は、吸引孔２９内の空気を吸引可能であり、吸引孔２９の上側に配置されたカウンタ２を吸引できる。
【００４２】
前述のとおり、真空ポンプ２４で吸引されたカウンタ２は、位置ズレが生じ難い。さらに、クランプ２３で押圧されたシンク３を強固に固定することが可能である。すなわち、カウンタ２およびシンク３を強固に固定することができる。つまり、シンク３の縁部１０の上に、接合樹脂４を充填する空間３５を確保した状態で、カウンタ２とシンク３を強固に台２１に固定することができる。この状態で空間３５に接合樹脂４を流し込むことにより、シンク３の天面１１の一部を覆う形で、カウンタ２とシンク３を接合することができる。
【００４３】
以上のように本発明の実施形態に係るキッチンカウンタ１（台所部材）では、接合樹脂４とシンク３の接合部３７における溝の発生を高度に抑制できる。
【００４４】
また、本発明の実施形態に係る治具２０（台所部材の製造用治具）によれば、接合樹脂４とシンク３の接合部３７における溝の発生を高度に抑制できる。
【００４５】
本実施形態では、キッチンカウンタ１において、接合樹脂４が、シンク３の縁部１０の天面１１の略半分を覆っている例を示したが、本発明はこれに限定されるものではない。例えば、接合樹脂４が、シンク３の縁部１０の天面１１の全部を覆っても構わない。
【符号の説明】
【００４６】
１    キッチンカウンタ（台所部材）
２    カウンタ（天板）
３    シンク
４    接合樹脂
１０    縁部
１１    天面（上面）
２０    治具（台所部材の製造用治具）
２１    台
２２    パッキン
２３    クランプ（押圧手段）
２４    真空ポンプ（吸引手段）
３３    隙間
【図１】
2011200388.tif 000003
【図２】
2011200388.tif 000004
【図３】
2011200388.tif 000005